【事件の表示】
　平成１１年特許願第１９８９０３号「光ディスク装置」拒絶査定不服審判事件〔平成１２年　２月　２日出願公開、特開２０００−　３６１５１〕について、次のとおり審決する。
【結　論】
　本件審判の請求は、成り立たない。
【理　由】
１．手続の経緯・本願発明
　本件審判の請求に係る特許願（以下、「本願」という）は、平成５年４月１２日に出願された特願平５−０８４６３７号の一部を、平成１１年７月１３日に新たな出願となされたものであって、平成１５年１月２３日付けで拒絶すべきものである旨の査定がなされたところ、平成１５年２月２７日付けで特許法第１２１条第１項に基づき審判請求がなされたものである。
　そして、本願の発明は、平成１４年９月１７日付けの手続補正書によって補正された明細書の記載からみて、その特許請求の範囲の請求項１〜５に記載されたとおりのものと認められるところ、その請求項１に係る発明は次のとおりのものである。
　「【請求項１】　情報が記録されたディスク状記録媒体の前記情報を光ヘッドで少なくとも読み取るために、ディスク回転モータを固定した可動部材が所定位置に向かって前記ディスク状記録媒体に近づくように移動し前記ディスク状記録媒体と前記ディスク回転モータとが結合するようにした光ディスク装置において、
　前記所定位置は前記可動部材が移動する範囲のうちで前記ディスク状記録媒体に最も近づいた位置であり、前記可動部材が前記所定位置に達した状態を検出する位置検出手段と、前記ディスク回転モータの回転駆動の開始を検出する回転検出手段と、前記双方の手段に接続され前記双方の手段より出力される全ての信号の受信が完了した後に前記ディスク状記録媒体と前記光ヘッドに配置された対物レンズとの相対移動によるフォーカスサーチの開始を許可する制御手段とを備えたことを特徴とする光ディスク装置。」（以下、「本願発明」という）
　
２．刊行物
　原査定の拒絶理由で引用した特開昭５９−１６１８２号（以下「刊行物１」という）は、ディスク駆動装置に関するもので、以下の記載がある。
　2-1）「
本発明はレーザビームを使用して光学的に記録又は再生を行うためのディスクに対して最適なディスク駆動装置に関するものである。
　2-2）「
(1)はターンテーブルであり、ディスクモータ(2)に結合されている。(3)はクランパであり、ターンテーブル(1)に対向配置されている。(4)は光学再生用ディスク
ディスク(4)を狭持する
　
ターンテーブル(1)をディスク(4)の方向に移動させるために、ターンテーブル移動機構(6)が設けられている。この移動機構(6)は、ディスクモータ(2)を支持する四角形の枠からなる支持体(7)と、この支持体(7)を第１図で上下方向、第２図で水平方向に案内する案内シャフト(8)(9)と、案内シヤフト(8)を支持する支持柱(10)と、この支持柱(10)に対向して案内シヤフト(8)(9)を支持する支持ブロック(11)とから成る。支持柱(10)及び支持ブロック(11)は、共に基板(12)に植立され、一方の案内シャフト(8)はこれ等の間に水平に取り付けられ、他方の案内シャフト(9)は支持ブロック(11)に片持状態に取り付けられている。
　
クランパ(3)をターンテーブル(1)の方向に移動させるためのクランパ移動機構(13)
　2-3）「
ターンテーブル移動機構(6)の支持体(7)を変位させるため及びクランバ移動機構(13)の保持部材(14)を変位させるために作動構構(18)が設けられている。この作動機構(18)の主要部は、第１図から明らかなように、Ｌ字形の第１の回動アーム(19)と、L字形の第２の回動アーム(20)と、作動レバー(21)と、ロックアーム(22)と、プランジヤソレノイド(23)とから成る
作動レバー(21)が第１図で時計方向に回動すれば、支持体(7)は案内シヤフト(8)(9)に案内されて第１図で下方に移動する。
ディスク(4)の方向に移動する。
　第１の回動アーム(19)はＬ字の屈曲部の軸(28)で回転自在に支持され、第２の回動アー(20)もL字の屈曲部の軸(29)で回動自在に支持され、第１の回勤アーム(19)の一端部に植立されたビン(30)が第２の回動アーム(20)の一端部に設けられた長孔(31)に嵌挿されることによって両者が連動するように連結されている。
　作動レバー(21)の右端にはピン(32)が植立され、このビン(32)が第１の回動アーム(19)の他端部に係合している。また、第２の回動アーム(20)の他端部には係合溝(33)が設けられ、ここに保持部材(14)の右端が挿入されている。ロックアーム(22)は軸(34)を中心に回動自在であり、プランジヤソレノイド(23)のプランジヤ(35)に連結され、またバネ(36)によつて第１図で反時計方向に偏倚されている。尚、ロックアーム(22)の先端にはロック段部(37)が設けられ、第１の回動アーム(19)にも係合端(38)が設けられている。」（第３頁左下欄第１行〜第４頁左上欄第６行目）
　2-4）「把持装置(40)がディスク(4)をターンテーブル(1)とクランパ(3)との間に移送した位置に相当するホトカプラ(50)の位置にシャッタ(47)が至ると、第８図のプランジヤソレノイド(56)をオンに保つためのフリップフロップにリセット信号が付与され、このプランジヤソレノイド(56)が非付勢となり、把持装置(40)によるディスク(4)の把持が解除される。把持装置(40)の右動は継続されるので、把持装置(40)は板バネ(65)を介して第１の回動アーム(19)を押圧し、これを反時計方向に回動させる。この結果、ピン(32)が回動アーム(19)で押圧され、
作動レバー(21)が第１図で時計方向に回動し、この作動レバー(21)が支持体(7)のピン(26)を第１図で下方に押圧する。これにより、支持体(7)は案内シャフト(8)(9)にガイドされて、第１図で下方に変位し、ターンテーブル(1)がディスク(4)に接近する。第１の回動アーム(19)が上述の如く回動すれば、同時に、第２の回動アーム(20)が第１図で時計方向に回動し、クランパ保持部材(14)を第１図で反時計方向に回動させ、クランパ(3)をディスク(4)に接近させる。上述の如くターンテーブル(1)が第１図で下方に変位すると、ディスク案内部材(66)も下方に変位し、その傾斜面(67)でディスク(4)の週縁が押圧され、ディスク位置が大略決定され、しかる後、ターンテーブル(1)とクランパ(3)とでディスク(4)がクランプされる。第１の回動アーム(19)が反時計方向に回動すると、ロックアーム(22)は第１回で時計方向に回動し、ついに第３図に示すロック状態に至る。スイツチ(64)は第１の回動アーム(19)がロック状態に至つた時に作動し、このスイツチ出力で送りモータ(46)の付勢の停止制御がなされる。また、スイツチ(64)の作動出力に基づいてディスクモータ(2)を付勢する制御がなされ、ディスク(4)の回転が開始する。また図示せぬ光学式ピックアップ手段により、信号の再生が行われる。
　
　以上の記載を、図面を参照して整理すると、刊行物１には、以下の発明が記載されているものと認める。
　「光学式ピックアップ手段により、光学的に記録又は再生を行うためのディスク駆動装置であって、
　ターンテーブル(1)はディスクモータ(2)に結合され、ディスク(4)を介在してクランパ(3)が対向配置され、ターンテーブル(1)をディスク(4)の方向に移動させるターンテーブル移動機構(6)は、ディスクモータ(2)を支持する四角形の枠からなる支持体(7)と、支持体(7)を上下方向、水平方向に案内する案内シャフト(8)(9)と、案内シヤフト(8)を支持する支持柱(10)と、この支持柱(10)に対向して案内シヤフト(8)(9)を支持する支持ブロック(11)とから成り、
　ターンテーブル移動機構(6)の支持体(7)を変位、及び、クランパ(3)をターンテーブル(1)の方向に移動させるクランバ移動機構(13)の保持部材(14)を変位させる、作動機構(18)の主要部は、Ｌ字形の第１の回動アーム(19)と、L字形の第２の回動アーム(20)と、作動レバー(21)と、ロックアーム(22)と、プランジヤソレノイド(23)とから成り、作動レバー(21)が時計方向に回動し、この作動レバー(21)が支持体(7)のピン(26)を下方に押圧し、これにより、支持体(7)は案内シャフト(8)(9)にガイドされて、下方に変位し、ターンテーブル(1)がディスク(4)に接近し、第１の回動アーム(19)が回動すれば、同時に、第２の回動アーム(20)が時計方向に回動し、クランパ保持部材(14)を反時計方向に回動させ、クランパ(3)をディスク(4)に接近させ、ターンテーブル(1)が下方に変位すると、ディスク案内部材(66)も下方に変位し、その傾斜面(67)でディスク(4)の週縁が押圧され、ディスク位置が大略決定され、
　しかる後、ターンテーブル(1)とクランパ(3)とでディスク(4)がクランプされ、第１の回動アーム(19)が反時計方向に回動すると、ロックアーム(22)は第１回で時計方向に回動し、ロック状態に至り、スイツチ(64)は第１の回動アーム(19)がロック状態に至つた時に作動し、このスイツチ出力で送りモータ(46)の付勢の停止制御がなされ、スイツチ(64)の作動出力に基づいてティスクモー夕(2)を付勢する制御がなされ、ディスク(4)の回転が開始、さらに光学式ピックアップ手段により、信号の再生が行われるディスク駆動装置。」（以下、「刊行物１発明」という）
　
　同じく、原査定で引用した特開昭６２−１５４２３４号（以下「刊行物２」という）は、光学式ディスクの回転制御装置に関するもので、以下の記載がある。
　2-5）「光ビームスポットが略同一個所に比較的長い時間照射されることになり、感度の良い光ディスクの場合には前記の如くレーザパワーの小なる再生モード時においても、回転し始めるまでの間にその照射部分の温度が上がり、既記録情報を損傷したりする等の不具合があった。また、何らかの原因で光ディスクが回転しない場合には、明らかに光ディスクが損傷されてしまう。このため、
従来は光ディスクが所定の回転数に達してからフォーカスサーボをオンとしていた
　2-6)「そこで、本発明は光ディスクの回転をまず所定の低速度で開始し、その状態でフォーカスサーボをオンとしてから定常回転数まで回転数を高めることにより、上記の問題点を解決した光学式ディスクの回転制御装置を提供することを目的とする。
　問題点を解決するための手段
　本発明になる光学式ディスクの回転制御装置は、定常回転数よりも低い第１の回転数となるよう光ディスクの回転を開始する手段と、
光ディスクが第1の回転数にまで上昇する途中の第２の回転数でフォーカスサーボオン信号を出力する手段と
　作用
　
前記フィーカスサーボは定常回転数よりも低い第1の回転数へ到る途中の第２の回転数でオンとされる。すなわち、フォーカスサーボは光ディスクの面振れなどの外乱周波数が十分低い第２の回転数のときオンとされる。
　2-7)「
光ディスク1の回転数が上記の　400〜500rpmにまで上昇していく途中の所定の第２の回転数に差し掛ると、回転検出器４の出力回転検出電圧は電圧値 V1（V1＜V0）よりも大となる。コンパレータ１２は基準電圧Vlとこの回転検出電圧とをレベル比較しており、回転検出電圧が基準電圧V1より大となると、ハイレベルの信号をフォーカスオン信号として端子１４を介してフォーカスサーボ回路(図示せず)へ供給する。
　
３．本願発明と刊行物１発明との対比・判断
　1)刊行物１発明の「光学式ピックアップ手段により、光学的に記録又は再生を行うためのディスク駆動装置」は、本願発明の「情報が記録されたディスク状記録媒体の前記情報を光ヘッドで少なくとも読み取る」及び「光ディスク装置」に各々相当する。
　2)刊行物１発明の「ターンテーブル(1)はディスクモータ(2)に結合され、・・・ターンテーブル(1)をディスク(4)の方向に移動させるターンテーブル移動機構(6)」「ターンテーブル移動機構(6)の支持体(7)を変位・・・支持体(7)は案内シャフト(8)(9)にガイドされて、下方に変位し、ターンテーブル(1)がディスク(4)に接近し、・・・、ターンテーブル(1)が下方に変位すると、ディスク案内部材(66)も下方に変位し、その傾斜面(67)でディスク(4)の週縁が押圧され、ディスク位置が大略決定され、しかる後、ターンテーブル(1)とクランパ(3)とでディスク(4)がクランプされ」は、本願発明の「ディスク回転モータを固定した可動部材が所定位置に向かって前記ディスク状記録媒体に近づくように移動し前記ディスク状記録媒体と前記ディスク回転モータとが結合」に相当する。
　3)刊行物１発明の、上記2)でも触れた「ターンテーブル(1)とクランパ(3)とでディスク(4)がクランプ」の構成であるが、クランプの作動機構は「作動機構(18)の主要部は、Ｌ字形の第１の回動アーム(19)と、L字形の第２の回動アーム(20)と、作動レバー(21)と、ロックアーム(22)と、プランジヤソレノイド(23)」からなり、そして「第１の回動アーム(19)が反時計方向に回動すると、ロックアーム(22)は第１回で時計方向に回動し、ロック状態に至り、スイツチ(64)は第１の回動アーム(19)がロック状態に至つた時に作動し、・・・、スイツチ(64)の作動出力に基づいてディスクモータ(2)を付勢」というものであれば、これは、ターンテーブル移動機構(6)が、さらに、ディスクに近づくというものでなく、最も近づいた位置であることは技術的に明らかであるから、これは本願発明の「所定位置は前記可動部材が移動する範囲のうちで前記ディスク状記録媒体に最も近づいた位置」に相当する。また、刊行物１発明の「スイツチ(64)」は、本願発明の「可動部材が前記所定位置に達した状態を検出する位置検出手段」に相当する。
　4)刊行物１発明の「スイツチ(64)の作動出力に基づいてディスクモータ(2)を付勢する制御がなされ、ディスク(4)の回転が開始」は、本願発明の「ディスク回転モータの回転駆動の開始」に相当する。
　5)刊行物１発明の「光学式ピックアップ手段により、光学的に記録又は再生を行うためのディスク駆動装置」であるが、これは本願発明の「ディスク状記録媒体と光ヘッドに配置された対物レンズとの相対移動によるフォーカスサーチ制御手段」に相当する技術が包含されていることは当該分野の技術常識である。
　
　結局、本願発明と刊行物１発明とは以下の点で一致ないし相違する。
　［一致点］
　「情報が記録されたディスク状記録媒体の前記情報を光ヘッドで少なくとも読み取るために、ディスク回転モータを固定した可動部材が所定位置に向かって前記ディスク状記録媒体に近づくように移動し前記ディスク状記録媒体と前記ディスク回転モータとが結合するようにした光ディスク装置において、
　前記所定位置は前記可動部材が移動する範囲のうちで前記ディスク状記録媒体に最も近づいた位置であり、前記可動部材が前記所定位置に達した状態を検出する位置検出手段と、前記ディスク回転モータの回転駆動の開始と、ディスク状記録媒体と前記光ヘッドに配置された対物レンズとの相対移動によるフォーカスサーチの制御手段とを備えた光ディスク装置。」　
　
　［相違点］
　ａ）ディスク回転モータの回転駆動であるが、本願発明は「ディスク回転モータの回転駆動の開始を検出する回転検出手段」なる回転検出手段を有しているが、刊行物１発明のものには明確な記載がない点。
　ｂ）フォーカスサーチの開始であるが、本願発明のものは「位置検出手段と回転駆動の開始の回転検出手段と、双方の手段に接続され双方の手段より出力される全ての信号の受信が完了した後」に「フォーカスサーチの開始を許可する」というものであるが、刊行物１発明のものはこの点の構成について言及していない点。
　
　［判断］
　i)刊行物１発明のもつ構成要件は、要するに『ディスクモータ(2)を支持する支持体(7)をディスクに接近させて、ターンテーブル(1)とクランパ(3)とでディスク(4)をクランプして、回転アーム(19)がロック状態に至った時に作動するスイッチ(64)の作動出力に基づいて、ディスクモータ(2)の付勢制御がなされ、ディスク(4)の回転が開始する。』（上記2-4)も参照のこと）というものである。これは経時的に、ディスクモータを支持する支持体の位置検出信号である、スイッチ(64)からの作動出力を確認をしてディスクモータの付勢制御をしていく、要するに回転を開始している、と理解できる。
　ここで、審判請求人は請求理由で、『しかし、引用文献１には、「スイッチ（６４）の作動出力に基づいてディスクモータ（２）を付勢する制御がなされ、ディスク（４）の回転が開始する。」という記載中の「基づいて」に対応する、具体的な手段が記載されていません。この点について、補足説明します。第１に、「スイッチ（６４）の作動出力とスピンドルモータ（２）を付勢する制御との関係を示す具体的な手段」を開示する記載がありません。』と主張する。しかしながら、上記のとおり『基づいて』とは、「スイッチ(64)の作動出力、要するに、位置検出信号からの信号の受信をもってディスクモータ(2)の回転駆動が開始される」というもので、これ以外の解釈は容易にはできない。
　ii)さらに、上記刊行物１発明には、この後に、『図示せぬ光学的ピックアップ手段により、信号の再生が行われる。』（上記2-4)も参照のこと）という構成の記載がある。これは、必ずしも、技術的構成について明確ではないにしても、信号の再生を行うというからには、そこにレーザーパワーの調整とフォーカスサーチの開始が済んでいる状態にあることは自明である。
　iii)次に、本願発明の「情報が記録されたディスク状記録媒体の前記情報を光ヘッドで少なくとも読み取る光ディスク装置」における、「フォーカスサーチの開始を許可する制御手段の前提条件として、可動部材が所定位置に達した状態を検出する位置検出手段」であるが、これは間接的にディスクの存在確認であるとも解される。
　そうであるなら、フォーカスサーチの開始を許可する制御において、ディスク回転の確認をもってフォーカスサーチの開始の実行をする点に限ってみれば、上記刊行物２に記載がある。（上記、2-5)〜2-7)の下線部分を参照）
　iv)また、他を例示すれば、ディスクの装着，モータ制御及びフォーカスサーチの関係で、以下の構成（特に下線部分の技術的思想に注目のこと）は周知である。
　「モータ停止状態で光ディスクや光磁気ディスク等の媒体の掛け替えがローディング機構により行われると、
ローディング完了の検出信号に基づいてスピンドルモータを起動させる。スピンドルモータは
規定回転に到達した後に、規定のリードパワー、ライトパワーが得られるようにヘッドのレーザダイオードＬＤを調整する発光調整、更には対物レンズを所定の範囲でサーチ移動してフォーカスサーボを引き込むフォーカス調整等を行い
　「今、光ディスクに装着しているカセットデッキを取り出して新たなカセットデッキを装着すると、図示しないローディング機構によりスピンドルモータ１４に光ディスク１０が装着され、その
ローディング終了の検出を受けて
モータ制御回路１２にスピンドルモータのオン制御信号を指令する。
Ｓ１でスピンドルモータの起動が行われると次のＳ２に進み
続いてＳ３に進んでフォーカスサーボ調整が行われる。
　
　結局のところ、上記相違点ａ）ｂ）の構成で、『フォーカスサーチの開始を許可する制御手段』は、『位置検出手段』と『回転検出手段』とが同時に『全ての受信が完了した後』というものでなく、各手段には経時的要素があるから、これを踏まえての技術背景を勘案していくことで本願発明は、上記刊行物１発明に刊行物２及び周知技術を適宜組合せることで当業者が容易に想到できるものである。
　
　
　４．むすび
　以上のとおりであるから、本願請求項１に記載された発明は、特許法２９条第２項の規定により特許を受けることができないとした原査定は妥当なものである。
　したがって、本願はその余の請求項について論及するまでもなく、拒絶をすべきものである。
　
　よって、結論のとおり審決する。